(57)【特許請求の範囲】
【請求項１】
平均粒径が１２〜８０μｍの非結晶リン酸カルシウム粉体を支持体上に重積してなるフィルタを用いて、前記粉体の粒子間で形成される間隙で水試料中の原虫を捕捉する工程と、
前記フィルタの前記粉体を酸で溶解して捕捉した前記原虫を回収する工程と、
を有することを特徴とする、水試料中の原虫のろ過回収方法。
【請求項２】
平均粒径が１２〜８０μｍの非結晶リン酸カルシウム粉体を支持体上に重積してなるフィルタに水試料を連続的に流通して、前記粉体の粒子間で形成される間隙で前記水試料中の原虫を捕捉する工程と、
所定時間または所定流量毎に前記フィルタを交換する工程と、
交換した前記フィルタを所定期間保存する工程と、
必要に応じて保存してある任意の前記フィルタの前記粉体を酸で溶解し、ろ過した前記原虫を回収して分析する工程と、
を有することを特徴とする、水道水又は水道原水の水質管理方法。
【発明の詳細な説明】
【技術分野】
【０００１】
本発明は、水中に存在する浮遊粒子を簡便かつ高速にろ過し高効率で回収するためのフィルタに関する。
【背景技術】
【０００２】
クリプトスポリジウムの水道水汚染により、米国で１９９３年に約４０万人、我が国でも１９９６年に９千人近い集団感染を発生させ大きな社会問題となった。クリプトスポリジウムは、家畜や野生動物に寄生する直径約５μｍの病原性微生物である。このような水道水を介した病原性微生物等による集団感染の予防や水汚染の原因究明等の必要性から、水中の浮遊粒子を捕捉し回収する技術の確立が急務となってきている。
【０００３】
水中の浮遊粒子を捕捉する方法には、大別して遠心機を用いて遠心力により浮遊粒子を分離する遠心法と、フィルタを用いて浮遊粒子をろ過（物理ろ過）するろ過法とがある。そのうち、後者としては、砂ろ過、珪藻土、セルロース繊維等を重積したフィルタやメンブランフィルタ、中空糸膜フィルタ等を利用する方法があるが、これらは浮遊粒子の除去には有効であるが、浮遊粒子の回収が煩雑であり効率が悪いという問題があった。
【０００４】
また、浮遊粒子の回収効率を上げるため、混合セルロースエステルからなるメンブランフィルタを用いて浮遊粒子をろ過し、フィルタを溶解して浮遊粒子を回収する方法が提案さているが（非特許文献１参照）、フィルタの溶解にアセトン等の有機溶媒を用いるため遠心機のスパークによる引火等の危険があった。
【０００５】
一方、繊維上にハイドロキシアパタイトを担持させたフィルタを利用して空気中の粉塵等の微粒子を吸着ろ過により捕捉する方法が知られている（特許文献１参照）。また、炭酸カルシウム等を凝集剤や濁質等として添加し水中の浮遊粒子を凝集沈殿させて回収する方法等も知られている（非特許文献２および３参照）。しかし、可溶性溶解性粉体を重積したフィルタを用いて水中の浮遊粒子を物理ろ過する方法については知られていない。
【特許文献１】特開平８−１６８６１９号公報
【非特許文献１】厚生省生活衛生局水道環境部長通知、「水道におけるクリプトスポリジウム暫定対策指針について」、平成８年１０月４日衛水２４８号、平成１０年６月１９日一部改正、生衛発第１０３９号
【非特許文献２】ベッセイ・グラハム（Ｖｅｓｅｙ  Ｇｒａｈａｍ）他、「クリプトスポリジウムのオーシストの水からの新規濃縮方法（Ａ  ｎｅｗ  ｍｅｔｈｏｄ  ｆｏｒ  ｔｈｅ  ｃｏｎｃｅｎｔｒａｔｉｏｎ  ｏｆ  Ｃｒｙｐｔｏｓｐｏｒｉｄｉｕｍ  ｏｏｃｙｓｔｓ  ｆｒｏｍ  ｗａｔｅｒ）」、ジャーナル・オブ・アプライド・バクテリオロジー（Ｊｏｕｒｎａｌ  ｏｆ  Ａｐｐｌｉｅｄ  Ｂａｃｔｅｒｉｏｌｏｇｙ）、英国、ブラックウェル・サイエンティフィック・パブリケーションズ（Ｂｌａｃｋｗｅｌｌ  Ｓｃｉｅｎｔｉｆｉｃ  Ｐｕｂｌｉｃａｔｉｏｎｓ）、１９９３年７月、７５巻、１号、ｐ．８２−８６
【非特許文献３】カラニス・Ｐ（Ｋａｒａｎｉｓ  Ｐ）、キムラ・Ａ（Ｋｉｍｕｒａ  Ａ．）、「水試料よりクリプトスポリジウムオーシストを精製する３つの沈殿法の評価（Ｅｖａｌｕａｔｉｏｎ  ｏｆ  ｔｈｒｅｅ  ｆｌｏｃｃｕｌａｔｉｏｎ  ｍｅｔｈｏｄｓ  ｆｏｒ  ｔｈｅ  ｐｕｒｉｆｉｃａｔｉｏｎ  ｏｆ  Ｃｒｙｐｔｏｓｐｏｒｉｄｉｕｍ  ｐａｒｖｕｍ  ｏｏｃｙｓｔｓ  ｆｒｏｍ  ｗａｔｅｒ  ｓａｍｐｌｅｓ．）」、レター・オブ・アプライド・マイクロバイオロジー（Ｌｅｔｔ  Ａｐｐｌ  Ｍｉｃｒｏｂｉｏｌ．）、英国、ブラックウェル・サイエンティフィック・パブリケーションズ（Ｂｌａｃｋｗｅｌｌ  Ｓｃｉｅｎｔｉｆｉｃ  Ｐｕｂｌｉｃａｔｉｏｎｓ）、２００２年、３４巻、６号、ｐ．４４４−４４９
【発明の開示】
【発明が解決しようとする課題】
【０００６】
本発明は、上記従来技術の有する問題点に鑑みなされたものであり、その目的とするところは、水中に存在する浮遊粒子を簡便かつ高速にろ過し高効率で回収し得る新規な水中浮遊粒子のろ過回収用フィルタおよびろ過回収方法を提供することにある。
【０００７】
本発明の他の目的は、大幅な省スペース化が図れ、かつ信頼性の高い生活用水等の水質の管理方法を提供することにある。
【課題を解決するための手段】
【０００８】
本発明の上記目的は、下記の各手段により達成される。
【０００９】
（１）すなわち、本発明は、平均粒径が１２〜８０μｍの非結晶リン酸カルシウム粉体を支持体上に重積してなるフィルタを用いて、前記粉体の粒子間で形成される間隙で水試料中の原虫を捕捉する工程と、前記フィルタの前記粉体を酸で溶解して捕捉した前記原虫を回収する工程と、を有することを特徴とする、水試料中の原虫のろ過回収方法である。
【００１０】
（２）本発明はまた、平均粒径が１２〜８０μｍの非結晶リン酸カルシウム粉体を支持体上に重積してなるフィルタに水試料を連続的に流通して、前記粉体の粒子間で形成される間隙で前記水試料中の原虫を捕捉する工程と、所定時間または所定流量毎に前記フィルタを交換する工程と、交換した前記フィルタを所定期間保存する工程と、必要に応じて保存してある任意の前記フィルタの前記粉体を酸で溶解し、ろ過した前記原虫を回収して分析する工程と、を有することを特徴とする、水道水又は水道原水の水質管理方法である。
【発明の効果】
【００１１】
本発明のフィルタは、溶解性粉体を重積して形成されているので、フィルタで捕捉した水中浮遊粒子を簡便かつ高収率で回収することができる。
【００１２】
また、本発明のフィルタは、多孔質の溶解性粉体を重積して形成されているので、高いろ過効率を有するうえに目詰まりし難く、高速かつ大量の水試料をろ過処理することができる。
【００１３】
さらに、本発明の水質の管理方法は、膨大な量の水試料を保存する必要がなくなり大幅な省スペース化を図ることができ、冷蔵または冷凍保存が可能となり保存試料の変質や劣化を抑えることができるので、信頼性の高い水質管理を行うことができる。
【発明を実施するための最良の形態】
【００１４】
以下に、本発明の実施形態にかかる水中浮遊粒子のろ過回収用フィルタについて詳細に説明する。
【００１５】
本発明の水中浮遊粒子のろ過回収用フィルタは、溶解性粉体を支持体上に重積してなるものである。ここで、溶解性粉体とは、水に不溶で水以外の特定の溶媒によって溶解可能な粉体をいい、例えば、酸溶解性、アルカリ溶解性、有機溶媒溶解性等の粉体がこれに該当する。本発明のフィルタは、溶解性粉体を重積して形成されているので、フィルタを特定溶媒で溶解することによりフィルタで捕捉した水中浮遊粒子を簡便かつ高収率で回収することができるものである。
【００１６】
また、本発明の水中浮遊粒子のろ過回収用フィルタで利用される溶解性粉体の粒子形態は特に限定されるものではないが、好ましくは多孔質体である。すなわち、本発明のフィルタにおいて、溶解性粉体として多孔質体を用いた場合、溶解性粉体の粒子間で形成される間隙で目的の水中浮遊粒子を確実に補足しつつ、溶解性粉体の粒子内部の多数の微細孔により流路が確保されるため、水を容易に透過させることができ、高い透水性を達成することができる。これにより、本発明のフィルタは、高いろ過効率を有するうえに目詰まりし難く、高速かつ大量の水試料をろ過処理することができるという優れた効果を奏するものである。
【００１７】
本発明のフィルタに利用することのできる溶解性粉体の具体例としては、酸溶解性のものとしてはリン酸カルシウム、炭酸カルシウム等、アルカリ溶解性のものとしては珪藻土等、有機溶媒溶解性のものとしてはセルロース混合エステル等の粉体を挙げることができる。これらの中では酸溶解性であるリン酸カルシウム粉体が好ましく、特に、非結晶ハイドロキシアパタイト等の非結晶リン酸カルシウム粉体が好適に用いられる。
【００１８】
本発明で利用される溶解性粉体の平均粒径は、ろ過しようとする水中浮遊粒子の平均粒径に合わせて適宜選択されるが、通常、ろ過しようとする水中浮遊粒子の平均粒径の１〜１００倍であり、好ましくは２〜２０倍である。溶解性粉体の平均粒径が上記下限未満では、ろ過圧力の上昇やろ過速度の低下を招くので好ましくなく、上記上限を超えると、ろ過しようとする水中浮遊粒子のろ過回収率が低下するので好ましくない。なお、ここでいう粒径とは、非球体粒子の場合は短径を意味するものである。具体的には、本発明で利用される溶解性粉体の平均粒径は、１〜１２００μｍであることが好ましく、特に、ろ過しようとする水中浮遊粒子がバクテリアである場合は１．２〜８μｍ、ジアルジア、クリプトスポリジウム等の原虫の場合は１２〜８０μｍ、蠕虫の場合は１７３〜１１２０μｍであることが好ましい。
【００１９】
本発明のフィルタに用いられる支持体は、前記溶解性粉体を重積することができ、かつ透水性に優れ、流速や処理量を低下させないものであれば特に限定されるものではなく、例えばサラン（登録商標）、ナイロン、テトロン（登録商標）、ポリプロピレン、テフロン（登録商標）、綿等からなるろ布または不織布、ろ紙、メンブレン、ステンレス、チタン等からなる金網等が挙げられる。
【００２０】
本発明のフィルタは、前記溶解性粉体を水に懸濁し、前記支持体に得られた懸濁液を透過させて前記溶解性粉体を前記支持体上に重積することにより製造することができる。本発明のフィルタは、市販の加圧あるいは陰圧フォルダで固定して用いる。本発明のフィルタは、水道管等の一部に換装可能な形態で組込んだり、着脱が容易なカートリッジ型としてろ過装置に組み込む等して利用することができる。
【００２１】
本発明のフィルタは、水試料中の浮遊粒子のろ過回収に利用することができるが、本発明のフィルタが適用可能な水試料とは水を媒体とした溶液を指し、例えば水道水、表流水、地下水、海水等および、有機物・無機物等を含む特定の溶質を溶解させた水溶液等に適用可能である。
【００２２】
次に、本発明のフィルタを利用した水中浮遊粒子のろ過回収方法について説明する。
【００２３】
まず、本発明のフィルタを専用のフィルタフォルダ等で固定して水道管等の一部に配設し、水道管等を通じて水試料をフィルタに導入し、フィルタに所定量の水試料を透過させる。この際、フィルタを透過させる水試料の流速は、フィルタの平均粒径および圧力に従うが、仮に４０μｍの粉体に河川水を通す場合は１ｍ／時間〜１０ｍ／時間程度、水道水では１０〜７０ｍ／時間程度である。また、処理量は、処理水中の粒子の多寡とフィルタサイズに従うが、例えば４０μｍの粉体を用いた直径４０ｍｍのフィルタに河川水を通す場合は１〜５ｌ、水道水では１０〜１００００ｌ程度である。処理水中に粉体を混ぜることで処理可能な水量を増加させることも可能である。
【００２４】
ろ過処理が終了したら、フィルタフォルダ等からフィルタを外してフィルタを回収し、溶解性粉体を溶解可能な溶媒を添加してろ過処理済のフィルタの溶解性粉体を完全に溶解する。使用する溶媒は溶解性粉体を溶解可能なものであれば特に限定されるものではないが、溶解性粉体が酸溶解性である場合は、塩酸、クエン酸等、溶解性粉体がアルカリ溶解性の場合は、水酸化ナトリウム等、溶解性粉体が有機溶媒溶解性の場合はアセトン等が挙げられる。また、溶解性粉体に対する溶媒の添加量は、例えば酸溶解性粉体であるハイドロキシアパタイトを塩酸で溶解する場合、ハイドロキシアパタイト１ｇに対して１Ｍ塩酸１５ｍｌ程度である。
【００２５】
次いで、得られた溶解性粉体溶解液を遠心機等にかけ、遠心沈殿等により目的の水中浮遊粒子を回収する。なお、回収した目的粒子は、目的に応じて再懸濁、再濃縮、洗浄等を行なう。
【００２６】
本発明のフィルタを利用した水中浮遊粒子のろ過回収方法は、水道水、水道原水等の水質管理方法として利用することができる。すなわち、供給する生活用水の一部を本発明のろ過回収方法のろ過工程に供して、所定間隔ごとに（例えば毎日）フィルタを交換して処理済フィルタそのものまたは処理済フィルタの溶解性粉体を一定期間（例えば数週間程度）冷蔵庫等に保存しておく。そして、例えば病原性微生物等による集団感染等が発生したような場合に、感染源と疑われる生活用水等の水源について水汚染の可能性のある時期の保存しておいたフィルタまたは溶解性粉体を対象として、本発明のろ過回収方法の回収工程に供して、病原性微生物等の水中浮遊粒子を回収して分析するものである。これにより、処理済フィルタまたはその溶解性粉体を保存しておくだけで、フィルタを透過させた大量の水試料をそのまま保管した場合と同等の水質管理が行えるので、膨大な量の水試料を保存する必要がなくなり大幅な省スペース化を図ることができる。また、処理済フィルタまたはその溶解性粉体を冷蔵庫等に保存しておくことができるので、水試料をそのまま室温で保管した場合に懸念される保管中の水試料の変質や劣化がなく、信頼性の高い水質管理を行うことができる。
【００２７】
なお、本発明は、上記した実施の形態に限定されるものではなく、本発明の要旨を逸脱しない範囲内において種々変更を加え得ることはいうまでもない。
【実施例１】
【００２８】
次に、実施例により本発明の水中浮遊粒子のろ過回収用フィルタならびにこれを用いた水中浮遊粒子のろ過回収方法についてさらに詳細に説明する。
［実施例１］
【００２９】
内径４０ｍｍ、高さ１００ｍｍのステンレス製加圧式フィルタフォルダに孔径１６μｍのナイロンメッシュを取り付けた（図１）。次いで、フィルタ粉体として平均粒径２０μｍの非結晶ハイドロキシアパタイト粉末（バイオ・ラッド・ラボラトリーズ社製ＣＨＴセラミックハイドロキシアパタイトＴｙｐｅＩＩ）１．２６ｇ（１．０ｋｇ／ｍ２相当）を用い、フィルタ粉体を少量の水道水に懸濁し、上記フィルタフォルダにゆっくりと透過させて、本発明のフィルタを形成した。
【００３０】
次に、目的粒子として３μｍの蛍光付ビーズを１００００個／ｍｌの濃度で精製水に懸濁させて、ビーズ懸濁液を調整した。次いで、上記フィルタに対し精製水１ｌを吸引ろ過して安定させた後、途切れることなく上記ビーズ懸濁液１ｌをろ過し、続いて洗いを兼ねて精製水１ｌをろ過した。
【００３１】
ろ過処理後フィルタフォルダからフィルタを取り出し（図２）、フィルタ粉体を５０ｍｌの遠心管に回収し（図３）、精製水２０ｍｌに懸濁して（図４）、懸濁液を蛍光顕微鏡（２００倍）で観察したところ、フィルタ粉体上に目的粒子（青色蛍光）が捕捉されていることが観察された（図５）。
【００３２】
次に、上記懸濁液に１Ｍ塩酸２０ｍｌを添加してフィルタ粉体を溶解し（図６）、溶解液を蛍光顕微鏡（２００倍）で観察したところ、溶液中に目的粒子（青色蛍光）のみが観察された（図７）。
［実施例２〜４］
【００３３】
フィルタ粉体の平均粒径を変更した以外は実施例１と同様に処理して、蛍光付ビーズの濃度をフローサイトメトリーにより測定することにより、蛍光付ビーズの回収率を測定した（図８）。
【産業上の利用可能性】
【００３４】
本発明によれば、水中に存在する浮遊粒子を簡便かつ高速にろ過し高効率で回収し得る新規な水中浮遊粒子のろ過回収用フィルタおよびろ過回収方法が提供される。
【００３５】
また、本発明によれば、大幅な省スペース化が図れ、かつ信頼性の高い生活用水等の水質の管理方法が提供される。
【図面の簡単な説明】
【００３６】
【図１】本発明のフィルタを固定する加圧式フィルタフォルダを固定台に固定した図である。
【図２】図１のフィルタフォルダから取り外したろ過処理後のフィルタである。
【図３】図２のフィルタの粉体を遠心管に回収している図である。
【図４】図３で回収したフィルタ粉体を水に懸濁させた図である。
【図５】図４の懸濁液を蛍光顕微鏡（２００倍）で観察した図である。
【図６】図４の懸濁液に酸を添加してフィルタ粉体を溶解させた図である。
【図７】図６の溶解液を蛍光顕微鏡（２００倍）で観察した図である。
【図８】本発明のフィルタの各種条件でのろ過回収率を測定した結果である。
【図８】
0005476558.tif 000002
【図１】
0005476558.tif 000003
【図２】
0005476558.tif 000004
【図３】
0005476558.tif 000005
【図４】
0005476558.tif 000006
【図５】
0005476558.tif 000007
【図６】
0005476558.tif 000008
【図７】
0005476558.tif 000009